【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示を保留記憶として記憶する保留記憶手段と、
前記保留記憶手段に記憶されている保留記憶に対応した保留表示を表示する保留表示手段と、
前記有利状態に制御するか否かを決定する決定手段と、
前記決定手段による決定の前に、前記有利状態に制御されるか否かを判定する判定手段と、
前記判定手段の判定結果にもとづいて、判定の対象となった保留記憶に対応する保留表示を、通常態様とは異なる特定態様により表示する保留予告を実行する保留予告手段と、
可変表示を開始するときに、当該可変表示に対応する保留表示を特定表示として所定領域に表示する特定表示手段と、
前記有利状態に制御される契機となる可変表示であるか否かにもとづいて、前記所定領域に表示されている特定表示の態様を特定態様に変化させる特定表示変化手段とを備え、
前記特定表示変化手段は、特定表示として表示される前の保留表示の態様に応じて、異なる割合により特定表示の態様を特定態様に変化させ、
前記特定表示変化手段が特定表示の態様を特定態様に変化させるときと、前記保留予告手段が保留表示の態様を特定態様に変化させるときとで、前記有利状態に制御される割合が異なる
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００５
【補正方法】変更
【補正の内容】
【０００５】
また、遊技媒体が始動領域を通過して可変表示の実行条件が成立したときに、可変表示を開始できない場合には、実行条件の成立が保留記憶として記憶される。保留記憶の数は、遊技者か視認可能に所定の表示態様（保留表示）で表示される。保留表示は、一般に、保留記憶にもとづく可変表示が開始されると消去される。しかし、可変表示が開始された場合に、当該可変表示に対応する特定表示を表示する遊技機がある（例えば、特許文献１参照）。特許文献１に記載されている遊技機は、所定領域に表示されている実行中の可変表示に対応する特定表示の表示態様を利用して、遊技者に、可変表示中の演出に関連する情報を提供する。
【手続補正４】
【補正対象書類名】明細書
【補正対象項目名】０００７
【補正方法】変更
【補正の内容】
【０００７】
特許文献１に記載されている遊技機は、実行中の可変表示に対応する特定表示によって遊技者に可変表示中の演出に関連する情報（例えば、仮停止の回数）を提供するが、実行中の可変表示に対応する特定表示は、特定表示結果に対する期待度（例えば、大当り図柄が停止表示される可能性の高低）を変化可能に表している訳ではなく、遊技の興趣が十分に図られていない。
【手続補正５】
【補正対象書類名】明細書
【補正対象項目名】０００８
【補正方法】変更
【補正の内容】
【０００８】
そこで、本発明は、実行中の可変表示に対応する特定表示を利用して、遊技の興趣をより向上させることができる遊技機を提供することを目的とする。
【手続補正６】
【補正対象書類名】明細書
【補正対象項目名】０００９
【補正方法】変更
【補正の内容】
【０００９】
（１）本発明による遊技機は、可変表示を行い、遊技者にとって有利な有利状態（例えば、大当り遊技状態）に制御可能な遊技機であって、未だ開始されていない可変表示を保留記憶として記憶する保留記憶手段（例えば、第１保留記憶バッファ、第２保留記憶バッファ）と、保留記憶手段に記憶されている保留記憶に対応した保留表示を表示する保留表示手段（例えば、第１保留記憶表示部１８ｃと第２保留記憶表示部１８ｄ）と、有利状態に制御するか否かを決定する決定手段（例えば、遊技制御用マイクロコンピュータ５６０において、ステップＳ６１の処理を実行する部分）と、決定手段による決定の前に、有利状態に制御されるか否かを判定する判定手段（例えば、遊技制御用マイクロコンピュータ５６０において、ステップＳ２２１，Ｓ２２３の処理を実行する部分）と、判定手段の判定結果にもとづいて、判定の対象となった保留記憶に対応する保留表示を、通常態様（例えば、「青」）とは異なる特定態様（例えば、「赤」）により表示する保留予告（図３１参照）を実行する保留予告手段（例えば、演出制御用マイクロコンピュータ１００において、ステップＳ６００６，Ｓ６０１６の処理を実行する部分）と、可変表示を開始するときに、当該可変表示に対応する保留表示を特定表示として所定領域（例えば、保留ボックス９Ｆ）に表示する特定表示手段（例えば、演出制御用マイクロコンピュータ１００において、ステップＳ８１８の処理を実行する部分）と、有利状態に制御される契機となる可変表示であるか否かにもとづいて、所定領域に表示されている特定表示の態様を特定態様に変化させる特定表示変化手段（例えば、演出制御用マイクロコンピュータ１００において、ステップＳ８４４，Ｓ８４５，Ｓ８５６，Ｓ８４７の処理を実行する部分）とを備え、特定表示変化手段は、特定表示として表示される前の保留表示の態様に応じて、異なる割合により特定表示の態様を特定態様に変化させ、特定表示変化手段が特定表示の態様を特定態様に変化させるときと、保留予告手段が保留表示の態様を特定態様に変化させるときとで、有利状態に制御される割合が異なる（図３１参照：例えば、大当りの場合に使用される保留予告演出決定テーブルでは、スーパーリーチはずれの場合に使用される保留予告演出決定テーブルに対して、始動入賞時に「赤」の態様に変化するパターン（パターン５）に、可変表示開始中（具体的には、「リーチ前」および「リーチ演出中」）に「赤」の態様に変化するパターン（パターン６，７，８，９）に比べて、少ない判定値が割り当てられている（割り当てられている判定値の割合が低い）ことを特徴とする。
そのような構成によれば、保留表示に対する遊技者の期待感と実行中の可変表示に対する遊技者の期待感との双方を高めることができ、遊技の興趣をより向上させることができる。
【手続補正７】
【補正対象書類名】明細書
【補正対象項目名】００１０
【補正方法】変更
【補正の内容】
【００１０】
（２）上記の（１）の遊技機において、特定表示変化手段は、可変表示が開始される前の保留表示の態様に応じて、実行中の可変表示に対応する特定表示の態様を変化させる割合を異ならせる（図３１参照：例えば、「リーチ前」および「リーチ演出中」に着目すると、可変表示開始前の保留表示の態様が「黄」である場合に比べて、「青」である場合の方が、高い割合で、可変表示開始後に、保留表示の態様が変化する）ように構成されていてもよい。
そのような構成によれば、可変表示が開始される前において保留表示に遊技者を注目させることができる。
【手続補正８】
【補正対象書類名】明細書
【補正対象項目名】００１１
【補正方法】変更
【補正の内容】
【００１１】
（３）上記の（１）または（２）の遊技機において、特定表示変化手段は、表示部に所定画像を表示し、所定領域に表示されている実行中の可変表示に対応する特定表示に当該所定画像が作用することによって当該実行中の可変表示に対応する特定表示の態様が変化するような表示演出を行い（図２７［左側］（Ｃ）、図２７［右側］（Ｅ）参照）、特定表示の態様を変化させるタイミングに関わらず、共通のタイミングで所定画像の表示を開始する（図２７参照）ように構成されていてもよい。
そのような構成によれば、所定画像が表示されることによって遊技者の期待感を高めることができるとともに、実行中の可変表示に対応する特定表示の態様を変化させるタイミングが所定画像によって容易に把握されることが防止される。